(57)【特許請求の範囲】
【請求項１】
基布の表面にパイルが設けられたカーペットに貫通した開口部が設けられ、この開口部に表示部材が装着されてなる装飾表示カーペットにおいて、上記の表示部材が、上記の開口部を閉塞するようにしてカーペットの基布の裏面に装着される開口部より大きくなったベースプレート部と、このベースプレート部からカーペットの基布における開口部を貫通するように設けられる支持部と、この支持部の上に装着される表示プレート部とを有し、この表示プレート部がカーペットの基布の上面とパイルの先端との間に位置することを特徴とする装飾表示カーペット。
【請求項２】
請求項１に記載の装飾表示カーペットにおいて、上記の表示部材における支持部が上記の基布における開口部の口縁に密接する形状に形成されると共に、上記の表示プレート部がカーペットの開口部よりも大きいことを特徴とする装飾表示カーペット。
【請求項３】
請求項１又は請求項２に記載の装飾表示カーペットにおいて、上記の表示プレート部の表面が金属光沢を有することを特徴とする装飾表示カーペット。
【請求項４】
請求項１〜請求項３の何れか１項に記載の装飾表示カーペットにおいて、上記のカーペットの基布に設けられた開口部に拡開用の切込みが設けられていることを特徴とする装飾表示カーペット。
【請求項５】
請求項１〜請求項４の何れか１項に記載の装飾表示カーペットにおいて、上記のカーペットが所定大きさの矩形状になったタイルカーペットであることを特徴とする装飾表示カーペット。
【請求項６】
請求項１〜請求項５の何れか１項に記載の装飾表示カーペットにおいて、上記のカーペットにおける基布の裏面に裏打ち材が設けられてなることを特徴とする装飾表示カーペット。
【発明の詳細な説明】
【技術分野】
【０００１】
この発明は、カーペットに装飾性と表示性を付与した装飾表示カーペットに係り、特に、基布の表面にパイルが設けられたカーペットに貫通した開口部を設け、この開口部に表示部材を装着させて、装飾性と表示性とを高めるようにした装飾表示カーペットに関するものである。
【背景技術】
【０００２】
従来から、カーペットにおける装飾性や表示性を付与するため、特許文献１、２に示されるように、カーペットの表面におけるパイルの上に、有色塗料、発光性塗料、夜光塗料等の各種の塗料を塗布又は印刷により付与して、カーペットの表面に文字、図形、模様等の所定形状になった表示部を設け、カーペットの装飾性や表示性を高めるようにしたものが提案されている。
【０００３】
しかし、特許文献１、２に示されるように、カーペットの表面におけるパイルの上に、各種の塗料を塗布又は印刷により付与して、所定形状になった表示部を設けるようにした場合、塗料がパイル間に入り込んでしまい、塗料を所定形状に適切に付与することが困難になり、またこのようなカーペットを床等に敷設して使用していると、歩行などにより表示部が次第に摩耗して、装飾性や表示性がすぐに低下するという問題があった。
【０００４】
また、従来においては、特許文献３、４に示されるように、カーペット等の敷物に点字鋲や誘導用マーカーを取り付けて、視覚障害者等の誘導を行うようにしたものが提案されている。
【０００５】
しかし、特許文献３、４に示されるものにおいては、点字鋲や誘導用マーカーが、カーペット等の敷物の上に突出するように取り付けられるため、人が歩行時に、このように突出した点字鋲や誘導用マーカーに躓いたり、またこれによって点字鋲や誘導用マーカーが破損したりするという問題があり、さらにこのような点字鋲や誘導用マーカーを取り付けることによって、カーペットの装飾性を高まめるということは期待できなかった。
【先行技術文献】
【特許文献】
【０００６】
【特許文献１】特開２００２−１４２９５６号公報
【特許文献２】実用新案登録第３００１０１６号公報
【特許文献３】特許第４０７９５００号公報
【特許文献４】特開２００１−３４８８２６号公報
【発明の開示】
【発明が解決しようとする課題】
【０００７】
この発明は、カーペットに装飾性と表示性を付与するようにした装飾表示カーペットにおける上記のような様々な問題を解決することを課題とするものである。
【０００８】
特に、この発明においては、基布の表面にパイルが設けられたカーペットに貫通した開口部を設け、この開口部に表示部材を装着させて、装飾性と表示性とを高めるようにした装飾表示カーペットにおいて、表示部材が歩行等の邪魔になるということがなく、優れた装飾性と表示性が安定して得られるようにすることを課題とするものである。
【課題を解決するための手段】
【０００９】
この発明においては、上記のような課題を解決するため、基布の表面にパイルが設けられたカーペットに貫通した開口部が設けられ、この開口部に表示部材が装着されてなる装飾表示カーペットにおいて、上記の表示部材が、上記の開口部を閉塞するようにしてカーペットの基布の裏面に装着される開口部より大きくなったベースプレート部と、このベースプレート部からカーペットの基布における開口部を貫通するように設けられる支持部と、この支持部の上に装着される表示プレート部とを有し、この表示プレート部がカーペットの基布の上面とパイルの先端との間に位置するようにした。
【００１０】
ここで、カーペットの開口部に装着された表示部材がずれたりするのを抑制するためには、この表示部材における支持部をカーペットの基布における開口部の口縁に密接する形状に形成することが好ましく、また上記の表示部材における表示性や装飾性を高める等の目的で、上記の表示プレート部をカーペットの開口部よりも大きくすることが好ましい。
【００１１】
さらに、上記の表示部材における表示性や装飾性を高めるためには、上記の表示プレート部として、表面が金属光沢を有するものを用いることが好ましい。
【００１２】
また、この発明における装飾表示カーペットにおいて、上記のカーペットの種類は特に限定されないが、組み合わせや部分的な交換等が容易に行えるようにするためには、所定大きさの矩形状になったタイルカーペットを用いることが好ましい。
【００１３】
また、上記の装飾表示カーペットを敷設した場合に、この装飾表示カーペットがずれたり、表示部材のベースプレート部による装飾表示カーペットの浮き上がりを防止するため、上記の基布の裏面に裏打ち材を設けることが好ましい。
【発明の効果】
【００１４】
この発明における装飾表示カーペットにおいては、上記のようにカーペットに貫通して設けられた開口部に表示部材を装着させるにあたり、カーペットの基布に設けられた開口部より大きくなった表示部材のベースプレート部を、この開口部を閉塞するようにしてカーペットの基布の裏面に装着させるようにしたため、この表示部材がカーペットに設けられた開口部から簡単に外れるということがなくなる。
【００１５】
また、カーペットの基布における開口部を貫通するようにして表示部材に設けられた支持部の上に、表示プレート部を装着させるにあたり、この表示プレート部がカーペットの基布の上面とパイルの先端との間に位置するようにしたため、この装飾表示カーペットを床等に敷設して、その上を歩行する場合等に、この表示プレート部に躓いたり、この表示プレート部が破損したり、摩耗したりするのが抑制され、長期にわたって安全に使用できると共に、表示プレート部による装飾性や表示性が低下するのも抑制され、さらに表示プレート部より上に突出されたパイルによって表示プレート部の周縁部が部分的に隠れ、表示プレート部とカーペッとの一体性が高まって、装飾性がさらに向上されるようになる。
【００１６】
この結果、この発明における装飾表示カーペットにおいては、表示部材が歩行等の邪魔になるということがなく、優れた装飾性と表示性が安定して得られるようになる。
【図面の簡単な説明】
【００１７】
【図１】本発明の一実施形態に係る装飾表示カーペットに使用するカーペットにおいて、平面形状が正方形状になった開口部を設けた状態を示した概略平面図である。
【図２】図１に示したカーペットの概略底面図である。
【図３】図１に示したカーペットの部分断面説明図である。
【図４】上記の実施形態に係る装飾表示カーペットにおいて、カーペットに設けられた開口部に装着させる表示部材を示し、（Ａ）は概略平面図、（Ｂ）は概略正面図である。
【図５】上記の実施形態に係る装飾表示カーペットにおいて、カーペットに設けられた開口部に表示部材を装着させた状態を示した部分断面説明図である。
【図６】上記の実施形態に係る装飾表示カーペットの変更例を示し、表示部材の支持部に設けられた収容凹所に発光体を収容させた状態を示した部分断面説明図である。
【図７】上記の実施形態に係る装飾表示カーペットに使用するカーペットにおいて、平面形状が長方形状になった開口部を設けた状態を示した部分説明図である。
【図８】図７に示したカーペットにおける開口部に装着させる表示部材を示した概略平面図である。
【図９】上記の実施形態に係る装飾表示カーペットに使用するカーペットにおいて、平面形状が円形状になった開口部を設けた状態を示した部分説明図である。
【図１０】図９に示したカーペットにおける開口部に装着させる表示部材を示した概略平面図である。
【図１１】上記の実施形態に係る装飾表示カーペットに使用するカーペットにおいて、平面形状が矢印状になった開口部を設けた状態を示した部分説明図である。
【図１２】図１１に示したカーペットにおける開口部に装着させる表示部材を示した概略平面図である。
【発明を実施するための最良の形態】
【００１８】
以下、この発明の実施形態に係る装飾表示カーペットを添付図面に基づいて具体的に説明する。なお、この発明に係る装飾表示カーペットは、特に下記の実施形態に示したものに限定されるものではなく、その要旨を変更しない範囲において適宜変更して実施できるものである。
【００１９】
この実施形態における装飾表示カーペットにおいては、図１〜図３に示すように、カーペット１０として、基布１１の表面にパイル１２が植設されると共に、その裏面に裏打ち材１５が設けられて所定大きさの矩形状になったタイルカーペット１０を用いた。そして、このタイルカーペット１０の中央部に、平面形状が正方形状になった開口部１３を貫通するようにして設けると共に、裏打ち材１５に設けられた開口部１３の各角部に拡開用の切込み１４を設けるようにした。なお、カーペットはこのような矩形状タイルカーペット１０に限定されず、長尺状になったものや、面積が広いものであってもよい。
【００２０】
ここで、上記のタイルカーペット１０の基布１１としては、織布又は不織布等のシート体からなり、上記のパイル１２を十分に植設、保持でき且つ破損などを生じない強度的にも優れたものであればよく、特にその素材は限定せず、例えば、ポリエステル、ポリプロピレン、ポリエチレン、ポリアミド、ポリビニルアルコール、ポリ塩化ビニル、ポリアクリロニトリル、ポリウレタン等の合成繊維や、セルロース、ウール等の天然繊維を１種又は２種以上組み合わせたものを使用することができる。
【００２１】
また、上記の基布１１の表面に設けるパイル１２には、一般にナイロン，ポリプロピレン、ポリエステル等の合成樹脂繊維が用いられ、このパイル１２は、図に示すようなカットパイルであっても、ループパイルであってもよいが、カットパイルは、パイルの倒れこみにより開口部１３の周縁部を部分的に隠して意匠性を向上させる効果が高いので、より好ましい。パイル長は、４〜８ｍｍが望ましく、５．５〜６．５ｍｍがより望ましい。パイル長が長すぎると、本発明の表示部材の装着が困難になる上、表示部材がパイルに埋もれて視認しにくくなるため意匠性も低下する。一方、パイル長が短すぎると、表示部材がパイルから突出して見えるようになり意匠性が低下するだけでなく、表示部材がパイルから突出しやすくなり、歩行者が躓く虞が生じる。
【００２２】
また、裏打ち材１５は、合成樹脂やゴムなどからなる単層のものであってよいが、この実施形態においては、パイル１２が植設された基布１１を安定的に固定するための合成樹脂ペーストゾル等からなる結合層１５ａを基布１１の裏面に設けると共に、この結合層１５ａの裏面にガラス繊維製ヤーンの網状体等からなる補強布１５ｂを設け、さらにこの補強布１５ｂの裏面に、ポリ塩化ビニル、ポリプロピレン、ポリエチレン、エチレン−酢酸ビニル共重合体等の合成樹脂や、ＳＢＲ、ＮＢＲ等の合成ゴム等からなるバッキング材１５ｃを設けている。このような構成とすることによって、開口部１３を本発明の表示部材を装着するのに適した深さに形成することができる。さらに、補強布１５ｂを設けることによって、開口部の１３の形状変化と裏打ち材１５のそりを抑えることができる。
【００２３】
一方、タイルカーペット１０に設けられた開口部１３に装着させる表示部材２０としては、図４（Ａ），（Ｂ）に示すように、タイルカーペット１０の基布１１の裏面に装着される開口部１３より大きい略正方形状になったベースプレート部２１の上に、平面形状が上記の裏打ち材１５における開口部１３と略同じ大きさ又は若干小形になった略正方形状の支持部２２を接着剤などで取り付け、さらにこの支持部２２の上に接着剤や両面テープなどでこの支持部２２や開口部１３より少し大きくなった略正方形状の表示プレート部２３を装着させたものを用いるようにした。
【００２４】
そして、この実施形態における装飾表示カーペットにおいて、上記の表示部材２０をタイルカーペット１０に設けられた開口部１３に装着させるにあたっては、タイルカーペット１０の裏打ち材１５に設けられた開口部１３を上記の切込み１４によって広くした状態で、表示プレート部２３が装着された支持部２２を開口部１３内に差し込み、図５に示すように、支持部２２を基布１１に設けられた開口部１３と密接するようにして貫通させ、上記のベースプレート部２１が裏打ち材１５の裏面において開口部１３を閉塞するようにして、このベースプレート部２１を裏打ち材１５の裏面に装着させると共に、上記の支持部２２の上に装着された表示プレート部２３を、タイルカーペット１０の裏打ち材１５の上面とパイル１２の先端との間に位置させるようにした。
【００２５】
ここで、裏打ち材１５が柔軟性を有する樹脂材等で構成されているので、表示部材２０の支持部２２を裏打ち材１５に設けられた開口部１３と密着して装着することができ、表示部材２０が安定的に固定される。また、裏打ち材１５に補強布１５ｂを設けた場合は、温度変化や経時変化などによって開口部１３の形状が変動することが抑えられるので、表示部材２０の支持部２２はより安定して固定されることになる。補強布１５ｂは、また温度変化や経時変化による裏打ち材１５のそりも抑えることができるので、表示部材２０のベースプレート部２１は、裏打ち材１５の裏面により安定的に装着される。
【００２６】
なお、この実施形態においては、上記の表示部材２０として、上記のベースプレート部２１と支持部２２と表示プレート部２３とを予め一体に装着させたものを用いるようにしたが、表示プレート部２３を分離させ、上記のように支持部２２を裏打ち材１５に設けられた開口部１３と密接するようにして貫通させた後、この支持部２２の上に表示プレート部２３を装着させるようにすることもできる。
【００２７】
ここで、上記の表示部材２０におけるベースプレート部２１としては、裏打ち材１５の裏面に装着させた場合に、タイルカーペット１０が浮き上がるのを抑制すると共に、このベースプレート部２１が割れたりするのを抑制するため、厚みが薄く且つ強度に優れた樹脂プレート等を用いることが好ましい。ここで、ベースプレート部２１の厚みは、好ましくは、０．３〜０．６ｍｍ、より好ましくは、０．４５〜０．５５ｍｍであり、薄すぎると表示部材２０を保持するのに十分な強度が得られず、厚すぎるとタイルカーペット１０が浮き上がり、場合によっては形状変化を生じる場合がある。また、ベースプレート部２１の大きさは、支持部２２、表示プレート部２３のサイズに合わせて適宜設定すれば良いが、支持部２２から周面が０．３〜０．６ｍｍ、より好ましくは、０．４５〜０．５５ｍｍ延伸しているのが望ましい。この延伸幅が小さいと、支持部２２が開口部１３からすり抜けて脱落する虞が生じ、大きすぎるとタイルカーペット１０との密着性の低下や割れの発生が起こりやすくなる。ベースプレート部２１の材質としては、強度に優れたものならば何でも良いが、硬質塩化ビニル樹脂は、柔軟性が高い上に強度に優れ、かつ安価で最も望ましい。
【００２８】
なお、このベースプレート部２１は上記の裏打ち材１５の裏面に接着させなくても、接着させてもよいが、タイルカーペット１０が床面に着脱する際などに曲がった場合に、このベースプレート部２１が割れたりするのを防止するためには、ベースプレート部２１を裏打ち材１５の裏面に接着させないようにすることが好ましい。
【００２９】
また、上記の支持部２２としては、この装飾表示カーペットを床等に敷設して、その上を歩行する場合等に破損することがないように、強度の高い樹脂ブロック等を用いることが好ましい。ここで、樹脂ブロックとしては、強度に優れたものならば何でも良いが、硬質塩化ビニル樹脂は、強度に優れ、かつ安価で最も望ましい。ここで、支持部２２の高さは、裏打ち材１５の厚みによって適宜設定されるが、裏打ち材１５よりも高く、パイル長の上に表示プレート部２３が突出しないように設定する必要がある。通常、裏打ち材１５より２．５〜３．２ｍｍ突出するように設けるのが望ましく、２．７〜２．９ｍｍ突出するように設けるのがより望ましい。突出量が小さ過ぎると、表示部材２０がタイルカーペット１０のパイル１２に埋没して意匠性が低下し、逆に突出量が大き過ぎると、歩行者が表示部材２０につまずく虞が生じる。
【００３０】
また、上記の表示プレート部２３としては、装飾表示カーペットにおける装飾性や表示性を高めるため、その表面が金属光沢を有するものを用いることが好ましく、例えば、金属板や、表面に塗装やメッキなどにより金属膜を形成した樹脂プレート等を用いることができる。なお、金属板としては、ステンレス材が錆びにくく、強度も高いので、長期間に渡って光沢を維持し意匠性を保つことができるので、最も望ましい。
【００３１】
ここで、上記のようにして表示部材２０をタイルカーペット１０に設けられた開口部１３に装着させたこの実施形態の装飾表示カーペットにおいては、裏打ち材１５に設けられた開口部１３より大きくなったベースプレート部２１が、この開口部１３を閉塞するようにして裏打ち材１５の裏面に装着されると共に、上記の支持部２２が裏打ち材１５に設けられた開口部１３と密接するようにして貫通されているため、この表示部材２０がタイルカーペット１０に設けられた開口部１３から簡単に外れたり、表示部材２０が開口部１３内においてずれたりするということがなくなる。
【００３２】
また、表示部材２０における表示プレート部２３が、タイルカーペット１０の裏打ち材１５の上面とパイル１２の先端との間に位置しているため、この装飾表示カーペットを床等に敷設して、その上を歩行する場合等に、この表示プレート部２３に躓いたり、この表示プレート部２３が破損したり、摩耗したりするのが抑制され、長期にわたって安全に使用できると共に、表示プレート部２３による装飾性や表示性が低下するのも抑制されるようになる。
【００３３】
さらに、この表示プレート部２３より上に突出されたタイルカーペット１０のパイル２２によって、表示プレート部２３の周縁部が部分的に隠れるようになり、表面が金属光沢を有する表示プレート部２３を用いた場合、この金属光沢の表示プレート部２３とタイルカーペット１０とが一体的に見えるようになり、優れた装飾性が得られるようになる。特に、パイル２２にカットパイルを用いた場合は、パイルの倒れこみにより表示プレート部２３の周縁部が部分的に隠す効果を高めることとなり、より好ましい。
【００３４】
なお、この実施形態における表示部材２０においては、表面が金属光沢を有する表示プレート部２３を用いるようにしたが、夜間等における表示性や装飾性を高めるために、上記の表示プレート部２３の表面に蓄光材料を塗布させるようにしたり、図６に示すように、上記の支持部２２の上面部に収容凹所２２ａを設け、この収容凹所２２ａ内に発光ダイオードなどの発光体２４を収容させる共に、上記の表示プレート部２３に透光性の材料を用い、発光体２４からの光が表示プレート部２３を通して見えるようにしたりすることもできる。
【００３５】
また、この実施形態の装飾表示カーペットにおいては、タイルカーペット１０の中央部に正方形状になった１つの開口部１３を貫通するように設けると共に、この開口部１３に対応させて、平面形状が略正方形状になった表示部材２０を用いるようにしたが、タイルカーペット１０に設ける開口部１３の形状、位置、大きさ、数等は特に限定されず、またこの開口部１３に装着させる表示部材２０も、上記の開口部１３の形状、大きさ等に対応させて適宜変更することができる。但し、開口部１３を設ける位置は、タイルカーペット１０の端部から２５ｍｍ以上、望ましくは、５０ｍｍ以上離間させて設ける方が良い。開口部１３の位置をタイルカーペット１０の端部に近づけすぎると、ベースプレート部２１によってタイルカーペット１０の端部が持ち上がり反りを生じる場合がある。
【００３６】
また、開口部１３の形状の変形例としては、例えば、図７に示すように、平面形状が長方形状のものを上げることができる。表示部材２０は、タイルカーペット１０に設けた長方形状の開口部１３に対応させて、図８に示すような平面形状が略長方形状のベースプレート部２１と支持部２２と表示プレート部２３とで構成されたものを用いる。このように、長方形状の表示部材２０を用いるとタイルカーペットの織り目に沿った形態配置することができ、カーペットの織り目と相まって、ライン状、又は、市松状の配置パターンを創出することができる。
【００３７】
他に、図９に示すように、タイルカーペット１０に平面形状が円形状になった開口部１３を設けると共に、この開口部１３に対応させて、図１０に示すように、平面形状が円形状になったベースプレート部２１と支持部２２と表示プレート部２３とで構成された表示部材２０を用いるようにすることもできる。円形状プレートを表示部材として用いると、タイルカーペットに対する方向性が無くなるので、織り目方向に関係なく配置することが可能となる。
【００３８】
さらに、上記の実施形態における装飾表示カーペットと同様にして、タイルカーペット１０に設けられた様々な形状の開口部１３に、それぞれ対応する形状の表示部材２０を装着させるようにすることができる。例えば、図１１及び図１２に示すように、タイルカーペット１０に設ける開口部１３を矢印状等の様々な形状に形成すると共に、ベースプレート部２１と支持部２２と表示プレート部２３とを、開口部１３に対応した矢印状等の平面形状に形成した表示部材２０を用い、このような表示部材２０をタイルカーペット１０の開口部１３に装着させるようにすることもできる。なお、矢印状の表示部材２０が設けられたタイルカーペット１０を一定のパターンに従って配置することによって、歩行者の誘導経路や避難経路の表示に用いることができる。
【００３９】
また、上記のような装飾表示カーペットを床等に敷設するにあたり、異なる形状になった表示部材２０が装着された複数種の装飾表示カーペットを適当に組み合わせて敷設することにより、装飾性等に優れた床等の施工も行えるようになる。
【００４０】
また、この実施形態においては、カーペット１０として、所定大きさの矩形状になったタイルカーペット１０を用いるようにしたが、使用するカーペット１０の種類は特に限定されず、長尺状のロールカーペットであってもよい。
【符号の説明】
【００４１】
１０  タイルカーペット（カーペット）
１１  基布
１２  パイル
１３  開口部
１４  切込み
１５  裏打ち材
１５ａ  結合層
１５ｂ  補強布
１５ｃ  バッキング材
２０  表示部材
２１  ベースプレート部
２２  支持部
２２ａ  収容凹所
２３  表示プレート部
２４  発光体
【図１】
0005285032.tif 000002
【図２】
0005285032.tif 000003
【図３】
0005285032.tif 000004
【図４】
0005285032.tif 000005
【図５】
0005285032.tif 000006
【図６】
0005285032.tif 000007
【図７】
0005285032.tif 000008
【図８】
0005285032.tif 000009
【図９】
0005285032.tif 000010
【図１０】
0005285032.tif 000011
【図１１】
0005285032.tif 000012
【図１２】
0005285032.tif 000013